(57)【特許請求の範囲】
【請求項１】
被写体を撮影する撮像系部材と、この撮像系部材で得られる信号を複数の色成分毎に分割して出力する色成分分割手段とを有するデジタルカメラをセットしてその色を調整する色調整装置であって、
光源と、
この光源と上記セットしたデジタルカメラの撮像系部材との間に配置され、光源からの光の特定波長帯のみを通過させて上記撮像系部材に受光させる分光手段と、
この分光手段を介して上記光源からの光を撮像系部材で受光させた際の分光感度特性をカラーフィルタの色成分毎に検出し、上記検出した分光感度特性を基に補間処理を施して、検出した分光感度特性以外の波長における分光感度特性を求める分光感度検出手段と、
この分光感度検出手段で得た分光感度特性に基づいて上記撮像系部材のホワイトバランス係数を算出する係数算出手段と、
目標とする色の分光反射特性に対する３原色Ｒ，Ｇ，Ｂの各特性値を予め記憶する目標色特性値記憶手段と、
上記分光感度検出手段で得た分光感度特性、所定の光源の既知のデータで与えられた分光放射特性、及び上記目標とする色の分光反射特性からＲ，Ｇ，Ｂそれぞれの色毎に分光感度を算出し、その算出結果と上記記憶された目標色特性値とにより、目標とする色に対する上記撮像系部材の色補正係数を算出する目標色補正係数算出手段と
を具備したことを特徴とする色調整装置。
【請求項２】
被写体を撮影する撮像系部材と、この撮像系部材で得られる信号を複数の色成分毎に分割して出力する色成分分割手段とを有するデジタルカメラをセットしてその色を調整する色調整装置であって、
光源と、
この光源と上記セットしたデジタルカメラの撮像系部材との間に配置され、可視光領域中の異なる通過波長帯を設定した複数のバンドパスフィルタから択一的に選択して光源と撮像系部材間の光路に挿入し、光源からの光の特定波長帯のみを通過させて上記撮像系部材に受光させる分光手段と、
上記光源の分光放射輝度、上記光路に挿入されたバンドパスフィルタの通過波長帯と透過率、及び上記撮像系部材の出力により、上記分光手段を介して上記光源からの光を撮像系部材で受光させた際の分光感度特性をカラーフィルタの色成分毎に検出し、上記検出した分光感度特性を基に補間処理を施して、検出した分光感度特性以外の波長における分光感度特性を求める分光感度検出手段と、
この分光感度検出手段で得た分光感度特性に基づいて上記撮像系部材のホワイトバランス係数を算出する係数算出手段と
を具備したことを特徴とする色調整装置。
【請求項３】
被写体を撮影する撮像系部材と、この撮像系部材で得られる信号を複数の色成分毎に分割して出力する色成分分割手段とを有するデジタルカメラをセットしてその色を調整する色調整装置であって、
光源と、
この光源と上記セットしたデジタルカメラの撮像系部材との間に配置され、光源からの光の特定波長帯のみを通過させて上記撮像系部材に受光させる分光手段と、
この分光手段を介して上記光源からの光を撮像系部材で受光させた際の分光感度特性をカラーフィルタの色成分毎に検出し、上記検出した分光感度特性を基に補間処理を施して、検出した分光感度特性以外の波長における分光感度特性を求める分光感度検出手段と、
目標となる光源の分光放射輝度データと上記撮像系部材の上記カラーフィルタの色成分毎の分光感度特性との積を求めてそれを積分する積和手段を有し、この積和手段の出力結果から上記撮像系部材のホワイトバランス係数または色補正係数を算出する係数算出手段と
を具備したことを特徴とする色調整装置。
【請求項４】
上記係数算出手段は、さらに上記積和手段の出力結果をＧ／Ｒ，Ｇ／Ｂのゲインに変換する色変換手段を有し、この色変換手段で求めたゲインからホワイトバランス係数または色補正係数を算出することを特徴とする請求項３記載の色調整装置。
【請求項５】
被写体を撮影する撮像系部材と、この撮像系部材で得られる信号を複数の色成分毎に分割して出力する色成分分割手段とを有するデジタルカメラをセットしてその色を調整する色調整装置であって、
光源と、
この光源と上記セットしたデジタルカメラの撮像系部材との間に配置され、光源からの光の特定波長帯のみを通過させて上記撮像系部材に受光させる分光手段と、
この分光手段を介して上記光源からの光を撮像系部材で受光させた際の分光感度特性をカラーフィルタの色成分毎に検出し、上記検出した分光感度特性を基にスプライン補間及び直線補間を組合わせた補間処理を施して、検出した分光感度特性以外の波長における分光感度特性を求める分光感度検出手段と、
この分光感度検出手段で得た分光感度特性に基づいて上記撮像系部材のホワイトバランス係数を算出する係数算出手段と
を具備したことを特徴とする色調整装置。
【発明の詳細な説明】
【０００１】
【発明の属する技術分野】
本発明は、特にデジタルカメラに好適な色調整装置に関する。
【０００２】
【従来の技術】
図１０にデジタルカメラの一般的な撮像系部材の構成を示す。同図に示すように撮像レンズ群１１を介して入射した光は、光学的なローパスフィルタとしてＩｒカットフィルタ１２を通過して有害赤外線成分が除去された後にＣＣＤ部１３で結像される。
【０００３】
ここでＣＣＤ部１３において、正確にはマイクロレンズアレイ１３ａにより各画素毎に集光された光は例えば原色系ベイヤー配列のカラーフィルタ１３ｂを介してフォトダイオードを有するＣＣＤ素子１３ｃに結像される。
【０００４】
しかるに、上記撮像レンズ群１１、Ｉｒカットフィルタ１２、及びＣＣＤ部１３のマイクロレンズアレイ１３ａとカラーフィルタ１３ｂ、これらのうちでも特にＩｒカットフィルタ１２とカラーフィルタ１３ｂはそれぞれ分光特性上のばらつきが大きく、色再現に大きな影響を与えてしまうことになる。
【０００５】
この影響をカメラ内で最小限に抑えるためには、ホワイトバランスや色補正の補正値を個々のカメラ毎に調整することが必要となる。
【０００６】
従来、この調整は、実際に撮影で使用したい光源を用いて特定のカラーチャートを撮影するなどしてその撮影結果から求めるようにしていた。
【０００７】
【発明が解決しようとする課題】
しかしながら、上述した方法では、例えば太陽光のように工場施設内においては安定した状態で存在してしない光源による調整を行なうことができないため、代用の光源を用いるしかなく、正確な調整を行なうことができない。
【０００８】
また、調整したい光源が増えた場合には、その光源を用いた調整作業を重ねて行なわなければならず、調整を行なうための装置が複雑で大型になってしまうという不具合があった。
【０００９】
本発明は上記のような実情に鑑みてなされたもので、その目的とするところは、１種類の光源を用いた調整作業を行なうのみで、その他の実際に存在しない光源に関しても正確なホワイトバランス及び色の調整を行なうことができる、構成が簡素で充分小型化が可能なデジタルカメラの色調整装置を提供することにある。
【００１２】
【課題を解決するための手段】
請求項１記載の発明は、被写体を撮影する撮像系部材と、この撮像系部材で得られる信号を複数の色成分毎に分割して出力する色成分分割手段とを有するデジタルカメラをセットしてその色を調整する色調整装置であって、光源と、この光源と上記セットしたデジタルカメラの撮像系部材との間に配置され、光源からの光の特定波長帯のみを通過させて上記撮像系部材に受光させる分光手段と、この分光手段を介して上記光源からの光を撮像系部材で受光させた際の分光感度特性をカラーフィルタの色成分毎に検出し、上記検出した分光感度特性を基に補間処理を施して、検出した分光感度特性以外の波長における分光感度特性を求める分光感度検出手段と、この分光感度検出手段で得た分光感度特性に基づいて上記撮像系部材のホワイトバランス係数を算出する係数算出手段と、目標とする色の分光反射特性に対する３原色Ｒ，Ｇ，Ｂの各特性値を予め記憶する目標色特性値記憶手段と、上記分光感度検出手段で得た分光感度特性、所定の光源の既知のデータで与えられた分光放射特性、及び上記目標とする色の分光反射特性からＲ，Ｇ，Ｂそれぞれの色毎に分光感度を算出し、その算出結果と上記記憶された目標色特性値とにより、目標とする色に対する上記撮像系部材の色補正係数を算出する目標色補正係数算出手段とを具備したことを特徴とする。
【００１３】
このような構成とすれば、１種類の光源を用いた調整作業を行なうのみで、その他の実際に存在しない光源に関しても正確な色の調整を行なうことができる上、構成が簡素で充分小型化が可能となることに加えて、例えば空や海を表現する水色や人物を撮影する場合の肌色等、目標とする複数色を特にきれいに表現することが可能となる。
【００１４】
請求項２記載の発明は、被写体を撮影する撮像系部材と、この撮像系部材で得られる信号を複数の色成分毎に分割して出力する色成分分割手段とを有するデジタルカメラをセットしてその色を調整する色調整装置であって、光源と、この光源と上記セットしたデジタルカメラの撮像系部材との間に配置され、可視光領域中の異なる通過波長帯を設定した複数のバンドパスフィルタから択一的に選択して光源と撮像系部材間の光路に挿入し、光源からの光の特定波長帯のみを通過させて上記撮像系部材に受光させる分光手段と、上記光源の分光放射輝度、上記光路に挿入されたバンドパスフィルタの通過波長帯と透過率、及び上記撮像系部材の出力により、上記分光手段を介して上記光源からの光を撮像系部材で受光させた際の分光感度特性をカラーフィルタの色成分毎に検出し、上記検出した分光感度特性を基に補間処理を施して、検出した分光感度特性以外の波長における分光感度特性を求める分光感度検出手段と、この分光感度検出手段で得た分光感度特性に基づいて上記撮像系部材のホワイトバランス係数を算出する係数算出手段とを具備したことを特徴とする。
【００１５】
このような構成とすれば、１種類の光源を用いた調整作業を行なうのみで、その他の実際に存在しない光源に関しても正確な色の調整を行なうことができる上、構成が簡素で充分小型化が可能となることに加えて、予め特性のわかっている複数のバンドパスフィルタを選択的に切換えて撮影を繰返すだけの作業となるので、より作業を簡素化しながら正確な色の調整を行なうことができる。
【００２０】
請求項３記載の発明は、被写体を撮影する撮像系部材と、この撮像系部材で得られる信号を複数の色成分毎に分割して出力する色成分分割手段とを有するデジタルカメラをセットしてその色を調整する色調整装置であって、光源と、この光源と上記セットしたデジタルカメラの撮像系部材との間に配置され、光源からの光の特定波長帯のみを通過させて上記撮像系部材に受光させる分光手段と、この分光手段を介して上記光源からの光を撮像系部材で受光させた際の分光感度特性をカラーフィルタの色成分毎に検出し、上記検出した分光感度特性を基に補間処理を施して、検出した分光感度特性以外の波長における分光感度特性を求める分光感度検出手段と、目標となる光源の分光放射輝度データと上記撮像系部材の上記カラーフィルタの色成分毎の分光感度特性との積を求めてそれを積分する積和手段を有し、この積和手段の出力結果から上記撮像系部材のホワイトバランス係数または色補正係数を算出する係数算出手段とを具備したことを特徴とする。
【００２１】
このような構成とすれば、１種類の光源を用いた調整作業を行なうのみで、その他の実際に存在しない光源に関しても正確な色の調整を行なうことができる上、構成が簡素で充分小型化が可能となることに加えて、調整時には存在しない光源についても対処することが可能となる。
【００２２】
請求項４記載の発明は、上記請求項３記載の発明において、上記係数算出手段は、さらに上記積和手段の出力結果をＧ／Ｒ，Ｇ／Ｂのゲインに変換する色変換手段を有し、この色変換手段で求めたゲインからホワイトバランス係数または色補正係数を算出することを特徴とする。
【００２３】
このような構成とすれば、上記請求項３記載の発明の作用に加えて、上記積和手段の出力結果がゲインではない場合でもこれに対処することが可能となる。
【００２６】
請求項５記載の発明は、被写体を撮影する撮像系部材と、この撮像系部材で得られる信号を複数の色成分毎に分割して出力する色成分分割手段とを有するデジタルカメラをセットしてその色を調整する色調整装置であって、光源と、この光源と上記セットしたデジタルカメラの撮像系部材との間に配置され、光源からの光の特定波長帯のみを通過させて上記撮像系部材に受光させる分光手段と、この分光手段を介して上記光源からの光を撮像系部材で受光させた際の分光感度特性をカラーフィルタの色成分毎に検出し、上記検出した分光感度特性を基にスプライン補間及び直線補間を組合わせた補間処理を施して、検出した分光感度特性以外の波長における分光感度特性を求める分光感度検出手段と、この分光感度検出手段で得た分光感度特性に基づいて上記撮像系部材のホワイトバランス係数を算出する係数算出手段とを具備したことを特徴とする。
【００２７】
このような構成とすれば、１種類の光源を用いた調整作業を行なうのみで、その他の実際に存在しない光源に関しても正確な色の調整を行なうことができる上、構成が簡素で充分小型化が可能となることに加えて、きわめて正確な補間が実現できるために上記分光手段による測定点数を少なく設定でき、測定の手間を簡略化しながら正確な分光感度特性を得、より正確な調整を行なうことが可能となる。
【００３２】
【発明の実施の形態】
以下本発明をデジタルカメラのホワイトバランス調整装置に適用した場合の実施の一形態について図面を参照して説明する。
【００３３】
図１は装置全体の構成を示すもので、２０が装置の筺体であり、光源を配置した光源室２０ａと、調整対象となるカメラを設置したカメラ室２０ｂとの２室構造を有する。
【００３４】
光源室２０ａ内においては、白熱電球でなるＡ光源２２が暗箱２１内に入れられて配置されるもので、暗箱２１の一部、カメラ室２０ｂ側の面に円形の孔２１ａが形成され、Ａ光源２２からの光が出射される。
【００３５】
しかして、筺体２０内の空間は円孔板２３により光源室２０ａとカメラ室２０ｂとに分けられるもので、この円孔板２３の上記孔２１ａと対向する位置に同じく円孔２３ａが形成され、上記Ａ光源２２からの光はこの円孔２３ａを介してカメラ室２０ｂ内に入射される。
【００３６】
カメラ室２０ｂにおいては、ホワイトバランス及び色調整の対象となるデジタルカメラ２６を所定の位置に固定設置することで、そのレンズ部がＢＰＦ円盤２４の周面を介して上記円孔板２３の孔２３ａに対向するようになる。
【００３７】
ここでＢＰＦ円盤２４は、図２に示すように複数、例えば７枚のそれぞれピーク波長の異なるバンドパスフィルタ（ＢＰＦ）２４１〜２４７を同一円周上に配置して構成し、モータ２５の回転駆動により上記Ａ光源２２とデジタルカメラ２６のレンズ部との間の光路上に任意のバンドパスフィルタ２４１〜２４７を択一的に挿入可能とするもので、ここでは各バンドパスフィルタ２４１〜２４７のピーク波長を４４０［ｎｍ］，４８０［ｎｍ］，５２０［ｎｍ］，５６０［ｎｍ］，６００［ｎｍ］，６２０［ｎｍ］，６４０［ｎｍ］、それぞれ半値幅２０［ｎｍ］であるものとする。
【００３８】
デジタルカメラ２６のホワイトバランス調整を行なうに際しては、デジタルカメラ２６で撮影を行なった結果をこのデジタルカメラ２６にＵＳＢ等の接続ケーブル２７を介して接続したパーソナルコンピュータ（ＰＣ）２８で読出し、このパーソナルコンピュータ２８側でこのデジタルカメラ２６個体の調整値を算出し、算出した調整値をデジタルカメラ２６に設定するものとし、モータ２５の回転駆動により光路中に挿入するＢＰＦ円盤２４のバンドパスフィルタ２４ａ〜２４ｇの選択、デジタルカメラ２６での撮影等の動作も含めてパーソナルコンピュータ２８側でプログラムにしたがって統括制御するものとする。
【００３９】
次に上記実施の形態の動作について説明する。
【００４０】
なお、ここでは調整対象となる上記デジタルカメラ２６の撮像素子であるＣＣＤが原色系ＲＧＢのベイヤー配列（Ｒ，Ｇｒ，Ｇｂ，Ｂの４ピクセル）のカラーフィルタを有しており、併せてそのＣＣＤと撮影レンズとの間に上記図１０でも示した、有害赤外線を除去する光学的ローパスフィルタとしてのＩｒカットフィルタを有しているものとする。
【００４１】
図３は上記図１に示した如くセットしたデジタルカメラ２６のホワイトバランス調整動作の処理内容を示すもので、各制御動作は上述した如くこのデジタルカメラ２６と接続ケーブル２７を介して接続されたパーソナルコンピュータ２８により行なうものとする。
【００４２】
しかるに、その動作当初には初期設定としてＢＰＦ円盤２４のバンドパスフィルタを示す変数ｎに初期値「１」を設定する（ステップＳ１）。
【００４３】
その後、この変数ｎにより示されるバンドパスフィルタ２４ｎを光路中に挿入した上でＡ光源２２の撮影を実行し（ステップＳ２）、変数ｎの値がこのＢＰＦ円盤２４に形成された全バンドパスフィルタの数Ｎ（＝７）ではないことを確認した上で（ステップＳ３）、さらに変数ｎの値を「＋１」更新設定し（ステップＳ４）、再び上記ステップＳ２に戻り、新たなバンドパスフィルタによる撮影を実行する、という処理を繰返し実行する。
【００４４】
各バンドパスフィルタの撮影においては、図４（１）に示すように撮影により得られた画像中央部の縦３２ピクセル×横３２ピクセルのＲ，Ｇｒ，Ｇｂ，Ｂの各色成分の平均値を計算し、特にＧｒ，Ｇｂに関してはさらに
Ｇ＝（Ｇｒ＋Ｇｂ）／２
とすることで、結果としてＲ，Ｇ，Ｂの各色成分の平均値を計算する。この場合、Ｒ，Ｂはそれぞれ２５６ピクセル、Ｇは５１２ピクセルのデータの平均となる。
【００４５】
上記ステップＳ２〜Ｓ４の処理を繰返し実行することで、ＢＰＦ円盤２４のすべてのバンドパスフィルタ２４１〜２４７について撮影を実行して各色成分毎の平均値を算出し、バンドパスフィルタの枚数７×３（ＲＧＢ）＝２１個のデータが算出されるようになる。
【００４６】
その後、ステップＳ３で変数ｎの値がバンドパスフィルタの全数Ｎと等しいと判断すると、次に上記２１個のデータを用いてデジタルカメラ２６の撮像系の分光感度特性を算出する（ステップＡ５）。
【００４７】
この分光感度特性の算出の第１段階として、上記色成分のデータからそれぞれ上記Ａ光源２２の分光特性と各バンドパスフィルタの透過率の影響を削除するべく演算を実行する。
【００４８】
ここで、例えばピーク波長が４４０［ｎｍ］である上記バンドパスフィルタ２４１の場合、上記Ａ光源２２の分光特性が図５に示すようなものであったとすると、この特性中の波長４４０［ｎｍ］を挟んで半値幅２０［ｎｍ］であるからこれを４２０［ｎｍ］〜４６０［ｎｍ］の範囲に渡って積分した値を「Ａsrc４４０」とし、バンドパスフィルタ２４１の４４０［ｎｍ］での透過率を「Ｔｒ４４０」（０＜Ｔｒ４４０＜１）、上記撮影時に平均値を算出した色成分のデータをそれぞれ「Ｒ４４０in」「Ｇ４４０in」「Ｂ４４０in」、求める色成分のデータをそれぞれ「Ｒ４４０out」「Ｇ４４０out」「Ｂ４４０out」とすると、演算は
Ｒ４４０out＝Ｒ４４０in／（Ａsrc４４０×Ｔｒ４４０）
Ｇ４４０out＝Ｇ４４０in／（Ａsrc４４０×Ｔｒ４４０）
Ｂ４４０out＝Ｂ４４０in／（Ａsrc４４０×Ｔｒ４４０）            …(1)
のように行なうこととなる。
【００４９】
これを、他のバンドパスフィルタ２４２〜２４７についても同様に実行するもので、全２１個のデータが得られたら、次段からの演算を容易にするために、特にＧ成分のデータ７個中の最大の値が「１００」となるように全２１個のデータを正規化する。
【００５０】
次に、分光感度特性の算出の第２段階として、上記２１個のデータを元に主としてスプライン補間による補間処理を実行する。
【００５１】
図６はこの補間処理により得られる分光感度特性を例示するもので、ここで上記ＢＰＦ円盤２４のバンドパスフィルタ２４１〜２４７の波長７点に加え、３８０［ｎｍ］，４１０［ｎｍ］，６６０［ｎｍ］，６８０［ｎｍ］，７００［ｎｍ］，７２０［ｎｍ］，７４０［ｎｍ］の７点を図７に示すように固定値として与え、全１４点でスプライン曲線による補間を実行し、１［ｎｍ］間隔の特性データを得る。
【００５２】
但し、６００［ｎｍ］〜６４０［ｎｍ］の範囲に関しては、デジタルカメラ２６の撮像系に含まれるＩｒカットフィルタの影響から、スプライン曲線に依る補間処理は不適であるものとして、直線補間を行なう。
【００５３】
こうして分光感度特性を算出すると、次に各光源毎にホワイトバランスの補正値を算出した上で（ステップＳ６）、特に目標となる色についての補正値を算出し（ステップＳ７）、以上でこの図３の一連の処理を終了する。
【００５４】
次に上記ステップＳ６でのホワイトバランスの補正値の算出と、ステップＳ７での色補正値の算出の内容について詳述する。
【００５５】
ホワイトバランスの補正値の算出においては、上記図６で求めた分光感度特性におけるＲＧＢそれぞれの色成分毎の特性をＲ（λ），Ｇ（λ），Ｂ（λ）とし、求めようとする光源の分光特性との積和を求めた上で、例えばＧを基準としてＲ，Ｂそれぞれのゲインを求める。
【００５６】
ここで、例えば３波昼光タイプの蛍光灯（６３０９Ｋ）を光源とした場合のホワイトバランスの補正値を算出する場合には、上記図６中のＲ（λ），Ｇ（λ），Ｂ（λ）と、図８に示す３波昼光タイプの蛍光灯の分光特性Ｓ（λ）とにより、演算
【００５７】
【数１】
0004460717.tif 000002
【００５８】
を実行し、その上で
Ｒゲイン＝Ｇｗ／Ｒｗ
Ｂゲイン＝Ｇｗ／Ｂｗ
としてＲゲインとＢゲインとを求めるもので、この求めたＲゲインとＢゲインが光源としての３波昼光タイプの蛍光灯（６３０９Ｋ）に対応したホワイトバランスの補正値としてデジタルカメラ２６にセットするものである。
【００５９】
同様に、太陽光（快晴時）、太陽光（薄曇り時）、３波昼白灯タイプの蛍光灯、白色蛍光灯、キセノン管（ストロボ光）等についても既存のデータで与えられているその分光特性を用いることで、容易にホワイトバランスの補正値を算出することができるので、得た補正値をデジタルカメラ２６にセットする。
【００６０】
次に、特に目標とする色に関する補正値の算出において述べる。ここでは、特に目標とする色として例えば記憶色としてのシアンをカラー１、人物の肌色をカラー２、緑をカラー３としてそれぞれその分光反射特性をｃｌｒ１（λ），ｃｌｒ２（λ），ｃｌｒ３（λ）とすると、演算
【００６１】
【数２】
0004460717.tif 000003
【００６２】
を求め、この（３）式で得た９個の値を上記（２）式における
Ｒｗ，Ｇｗ，Ｂｗ＝１
となるように正規化する。この場合、Ｒｗ＝１となる係数を求めると、その係数を上記（３）式中のＲｃｌｒ１（〜３）の３つの式の右辺のＲ（λ）に代入することにより、相対値化する。
【００６３】
次いで、目標となるカラー１〜３の各色成分ＲＧＢが図９に示すような組合わせからなるものとすると、マトリクス演算
【００６４】
【数３】
0004460717.tif 000004
【００６５】
となるような３行３列のＭを演算により算出する。
【００６６】
さらに、こうして得たＭに対し、
【００６７】
【数４】
0004460717.tif 000005
【００６８】
を求め、これを新たな行列Ｍとし、色補正値としてデジタルカメラ２６にセットするものである。
【００６９】
この色補正値も必要な光源毎に算出するもので、例えば３波昼光タイプの蛍光灯だけでなく、太陽光（快晴時）、太陽光（薄曇り時）、３波昼白灯タイプの蛍光灯、白色蛍光灯、キセノン管（ストロボ光）等についても既存のデータで与えられているその分光特性を用いることで、容易に色補正値を算出することができるので、得た補正値をデジタルカメラ２６にセットする。
【００７０】
なお、上記実施の形態では光源としてＡ光源２２を用いたが、これはＡ光源２２が蛍光灯等のように放電により発光するタイプの光源ではなく、時間的に連続して発光し、且つフリッカ等を生じずに、可視光範囲でなだらかに変化する分光特性を有しているため、ノイズ等を生じることが少なく、標準値の計算に適性と考えられるからである。
【００７１】
しかしながら、他の光源を用いても本発明の作用効果を奏し得ることに変わりはなく、本発明は光源の種類を限定するものではない。
【００７２】
また、上記実施の形態ではＢＰＦ円盤２４にそれぞれ分光特性の異なる７枚のバンドパスフィルタ２４１〜２４７を有するものとしたが、複数枚使用するのであればその数を限定するものではない。
【００７３】
しかしながら、バンドパスフィルタの数を少なくすると、演算量は少なくなるので迅速に演算を実行することができる反面、どのような補間処理を行なうにしても正確な分光感度特性を得ることはできず、結果として正確なホワイトバランスの補正値及び色補正値を得ることはできなくなる。
【００７４】
また反対に、バンドパスフィルタの数を多くすると、その補間処理を行なうことできわめて実際の装置に則した分光感度特性を得ることができる反面、装置の大型化や調整時間の増大を招く。
【００７５】
結果として、本実施の形態の如く７枚程度の構成とすることで、演算量を適性な範囲に抑えながら、スプライン曲線による補間を行なうことでほぼ正確な分光感度特性を得ることを可能としている。
【００７６】
また、単にホワイトバランスの調整を行なうのみならず、同様の演算処理によって目標となる色に関する補正値も行なうようにしているため、特にシアンや肌色、緑などといった記憶色に関して色補正を行なうものとすれば、より使用者にわかりやすい状態できれいな色の画像を得ることができる。
【００７７】
さらに、本実施の形態では、デジタルカメラ２６の撮像素子であるＣＣＤが原色系のカラーフィルタを有するものとして説明したが、補色系のカラーフィルタを有するものとしてもよく、その場合は撮影により得られた補色系の色成分のデータを演算により原色系に変換してから処理を行なってもよいし、あるいは補色系の色成分のまま処理を実行するものとしてもよい。
【００７８】
その他、本発明はその要旨を逸脱しない範囲内で種々変形して実施することが可能であるものとする。
【００８０】
【発明の効果】
請求項１記載の発明によれば、１種類の光源を用いた調整作業を行なうのみで、その他の実際に存在しない光源に関しても正確な色の調整を行なうことができる上、構成が簡素で充分小型化が可能となることに加えて、例えば空や海を表現する水色や人物を撮影する場合の肌色等、目標とする複数色を特にきれいに表現することが可能となる。
【００８１】
請求項２記載の発明によれば、１種類の光源を用いた調整作業を行なうのみで、その他の実際に存在しない光源に関しても正確な色の調整を行なうことができる上、構成が簡素で充分小型化が可能となることに加えて、予め特性のわかっている複数のバンドパスフィルタを選択的に切換えて撮影を繰返すだけの作業となるので、より作業を簡素化しながら正確な色の調整を行なうことができる。
【００８４】
請求項３記載の発明によれば、１種類の光源を用いた調整作業を行なうのみで、その他の実際に存在しない光源に関しても正確な色の調整を行なうことができる上、構成が簡素で充分小型化が可能となることに加えて、調整時には存在しない光源についても対処することが可能となる。
【００８５】
請求項４記載の発明によれば、上記請求項３記載の発明の効果に加えて、上記積和手段の出力結果がゲインではない場合でもこれに対処することが可能となる。
【００８７】
請求項５記載の発明によれば、１種類の光源を用いた調整作業を行なうのみで、その他の実際に存在しない光源に関しても正確な色の調整を行なうことができる上、構成が簡素で充分小型化が可能となることに加えて、きわめて正確な補間が実現できるために上記分光手段による測定点数を少なく設定でき、測定の手間を簡略化しながら正確な分光感度特性を得、より正確な調整を行なうことが可能となる。
【図面の簡単な説明】
【図１】本発明の実施の一形態に係る装置全体の構成を示す図。
【図２】図１のＢＰＦ円盤の構成を示す平面図。
【図３】同実施の形態に係る調整の処理内容を示すフローチャート。
【図４】同実施の形態に係る画像中の色成分を示す図。
【図５】同実施の形態に係るＡ光源の分光特性を示す図。
【図６】同実施の形態に係る補間処理で得た分光感度特性を示す図。
【図７】上記図６で与えた固定値の内容を示す図。
【図８】求める光源の分光特性を例示する図。
【図９】同実施の形態に係る目標色のＲＧＢ各色成分を規定する図。
【図１０】デジタルカメラの一般的な撮像系部材の構成を示す図。
【符号の説明】
１１…撮像レンズ群
１２…Ｉｒカットフィルタ
１３…ＣＣＤ部
１３ａ…マイクロレンズアレイ
１３ｂ…カラーフィルタ
１３ｃ…ＣＣＤ素子
２０…筺体
２０ａ…光源室
２０ｂ…カメラ室
２１…暗箱
２１ａ…孔
２２…Ａ光源
２３…円孔板
２３ａ…円孔
２４…ＢＰＦ円盤
２４１〜２４７…バンドパスフィルタ（ＢＰＦ）
２５…モータ
２６…デジタルカメラ
２７…接続ケーブル
２８…パーソナルコンピュータ（ＰＣ）
【図１】
0004460717.tif 000006
【図２】
0004460717.tif 000007
【図３】
0004460717.tif 000008
【図４】
0004460717.tif 000009
【図５】
0004460717.tif 000010
【図６】
0004460717.tif 000011
【図７】
0004460717.tif 000012
【図８】
0004460717.tif 000013
【図９】
0004460717.tif 000014
【図１０】
0004460717.tif 000015